(57)【要約】【課題】太陽電池の発電電力をロスなく、利用することが可能な給電システムを提供する。【解決手段】入力に太陽電池と蓄電池を接続し、出力に負荷を接続し、電流制御運転する電力変換装置と、前記太陽電池から電力変換装置への電力供給を所定時間ごとに前記負荷の消費電力量以下からゼロのいずれかにする制御部とを備える。これにより、太陽電池の発電電力量によって負荷の電力供給が完全にまかなえるような場合、蓄電池からの電力供給をなくして、太陽電池の発電出力のみによって負荷に電力供給することができる。【選択図】図１
2008061308.tif 000002
【特許請求の範囲】
【請求項１】
入力に太陽電池と蓄電池を接続し、出力に負荷を接続し、電流制御運転する電力変換装置と、
前記太陽電池から電力変換装置への電力供給を所定時間ごとに前記負荷の消費電力量以下からゼロのいずれかにする制御部と
を備えることを特徴とする給電システム。
【請求項２】
前記制御部は、負荷の消費電力が太陽電池の最大電力点以上になった後、再度前記最大電力点以下になったとき、前記電力変換装置が電流制御運転するよう前記太陽電池から電力変換装置への電力供給を所定時間ごとに前記負荷の消費電力量以下からゼロのいずれかにすることを特徴とする請求項１に記載の給電システム。
【請求項３】
入力に太陽電池および蓄電池を接続し、出力に負荷を接続し、電流制御運転する電力変換装置と、
前記太陽電池および蓄電池と電力変換装置の間に接続したスイッチと、
前記スイッチを定期的にオフにする制御部と
を備えることを特徴とする給電システム。
【請求項４】
前記電力変換装置は、コンデンサを備えるＤＣ／ＤＣコンバータによって構成することを特徴とする請求項１または３に記載の給電システム。
【請求項５】
入力に太陽電池と蓄電池を接続し、出力に負荷を接続し、電流制御運転する電力変換装置と、制御部を備える給電システムの制御方法であって、
前記制御部に備えられたタイマーのカウントを開始させるステップと、
前記タイマーが所定時間をカウントしたとき、前記太陽電池から電力変換装置への電力供給を前記負荷の消費電力以下からゼロのいずれかにするステップと、
前記負荷の消費電力以下からゼロのいずれかにする時間を所定期間維持するステップと、
前記期間経過後、前記電力変換装置を電流制御運転して、太陽電池の発電出力を供給するステップと、
前記タイマーのカウントをリセットするステップと
を備える給電システムの制御方法。
【請求項６】
入力に太陽電池および蓄電池を接続し、出力に負荷を接続し、電流制御運転する電力変換装置と、前記太陽電池および蓄電池と電力変換装置の間に接続したスイッチと、制御部を備える給電システムの制御方法であって、
前記制御部に備えられたタイマーのカウントを開始させるステップと、
前記タイマーが所定時間をカウントしたとき、前記スイッチをオフ状態にするステップと、
前記オフ状態を所定期間維持するステップと、
前記オフ期間経過後、前記電力変換装置を電流制御運転して、太陽電池の発電出力を供給するステップと、
前記タイマーのカウントをリセットするステップと
を備える給電システムの制御方法。
【発明の詳細な説明】
【技術分野】
【０００１】
本発明は、太陽電池の出力を負荷に供給する給電システムおよびその制御方法に関し、特に太陽電池の発電出力を有効に利用する給電システムおよび制御方法に関するものである。
【背景技術】
【０００２】
太陽電池の出力を負荷に供給する給電システムが、例えば特許文献１に開示されている。特許文献１は、太陽電池と商用電力系統を連係運転するとともに、商用電力系統の異常時には太陽電池を自立運転させ、蓄電池とともに負荷に電力を供給するシステムである。そのため、蓄電池を切換回路を介して太陽電池とともにインバータに接続し、切換回路の動作により、蓄電池の充放電を遮断する状態と、ダイオードを介して放電電流が流れる状態と、充放電電流が流れる状態に切り換えるものである。
【特許文献１】特開平９−４６９２５号公報
【発明の開示】
【発明が解決しようとする課題】
【０００３】
上記特許文献１によれば、蓄電池の電力が逆潮流するのを防ぎ、また電力変換装置を最大電力追跡制御によって運転することができる。
しかしながら、太陽電池からの発電量で負荷への電力供給を完全にまかなえるほど日射量がある場合でも、蓄電池から負荷へ電力供給される場合があった。
本発明は、上記のような課題に鑑みて、太陽電池の発電電力によって負荷への電力供給が完全にまかなえるような場合、蓄電池からの電力供給をなくし、太陽電池の出力を有効に供給する給電システムおよび給電システムの制御方法を提供するものである。
【課題を解決するための手段】
【０００４】
本発明の給電システムは上記課題を解決するために、入力に太陽電池と蓄電池を接続し、出力に負荷を接続し、電流制御運転する電力変換装置と、前記太陽電池から電力変換装置への電力供給を所定時間ごとに前記負荷の消費電力量以下からゼロのいずれかにする制御部とを備える。
この構成を備えることにより、本発明によれば太陽電池の発電出力によって負荷の電力供給が完全にまかなえるような場合、蓄電池からの電力供給をなくして、太陽電池の発電出力のみによって負荷に電力供給することができる。
【０００５】
また本発明の給電システムは上記課題を解決するために、入力に太陽電池および蓄電池を接続し、出力に負荷を接続し、電流制御運転する電力変換装置と、前記太陽電池および蓄電池と電力変換装置の間に接続したスイッチと、前記スイッチを定期的にオフにする制御部とを備える。
これにより、太陽電池の発電出力によって負荷の電力供給が完全にまかなえるような場合、蓄電池の電力消費をなくして、太陽電池の発電出力のみによって負荷に電力供給することができる。
また本発明において、前記電力変換装置は、キャパシタを備えるＤＣ／ＤＣコンバータによって構成することが好ましい。これにより、負荷への電力供給を継続することができる。
【０００６】
更に本発明は別の観点によれば、入力に太陽電池と蓄電池を接続し、出力に負荷を接続し、電流制御運転する電力変換装置と、制御部を備える給電システムの制御方法であって、前記制御部に備えられたタイマーのカウントを開始させるステップと、前記タイマーが所定時間をカウントしたとき、前記太陽電池から電力変換装置への電力供給を前記負荷の消費電力以下からゼロのいずれかにするステップと、前記負荷の消費電力以下からゼロのいずれかにする時間を所定期間維持するステップと、前記期間経過後、前記電力変換装置を電流制御運転して、太陽電池の発電出力を供給するステップと、前記タイマーのカウントをリセットするステップとを備える。
【０００７】
また本発明は、入力に太陽電池および蓄電池を接続し、出力に負荷を接続し、電流制御運転する電力変換装置と、前記太陽電池および蓄電池と電力変換装置の間に接続したスイッチと、制御部を備える給電システムの制御方法であって、前記制御部に備えられたタイマーのカウントを開始させるステップと、前記タイマーが所定時間をカウントしたとき、前記スイッチをオフ状態にするステップと、前記オフ状態を所定期間維持するステップと、
前記オフ期間経過後、前記電力変換装置を電流制御運転して、太陽電池の発電出力を供給するステップと、前記タイマーのカウントをリセットするステップとを備える。
【発明の効果】
【０００８】
本発明は、以上のような構成を備えるので、太陽電池からの発電出力によって負荷の電力供給を完全にまかなえる場合、蓄電池からの電力供給をなくし、太陽電池の発電出力を有効に利用することができる。更に本発明によれば、電力変換装置は電流制御運転することによって、制御を簡単にすることができる。
【発明を実施するための最良の形態】
【０００９】
（実施形態１）
図１は実施形態１の構成を示すブロック図である。
実施形態１のシステムは、太陽電池１と、ダイオード２を介した蓄電池３を並列に電力変換装置４の入力に接続し、電力変換装置４の出力に負荷５を接続して構成する。電力変換装置４は、ＤＣ／ＤＣコンバータ６とＤＣ／ＡＣインバータ７を直列に接続して構成される。
また、実施形態１は制御部８を有し、制御部８は、時間をカウントするタイマーを備える。タイマーは、1分おきにｔ秒間ＤＣ／ＤＣコンバータ６の入力電圧をゼロにする制御信号を送る。制御部６は自らこの制御信号を発するが、この制御信号を生成するために外部から信号は受信しない。本発明において、タイマーは所定時間間間隔を計測するものであり、後述するようにタイマーは厳密な時間計側を要求するものではないので、制御部６に備えるクロック信号を利用して、時間計測するとよい。
【００１０】
上記負荷５は、商用電力系統１０に接続され、太陽電池１および蓄電池３から電力供給が受けられないとき、商用電力系統１０から電力供給を受けて駆動することができる。また図１には示していないが、商用電力系統１０により蓄電池３を充電する回路を形成してもよい。また、電力変換装置のＡＣ出力から負荷への供給を分岐して、ＡＣ／ＤＣインバータを介して蓄電池へ接続し、蓄電池を充電してもかまわない。
ここで、負荷５の種類は制限がなく、本発明の給電システムが一般家庭に設置される場合には、例えば、負荷５は電球のような照明器具、エアコン、掃除機、洗濯機、冷蔵庫、電熱器具、電磁調理器、テレビ、ビデオ、パソコンなどである。また給電システムがオフィスに設置される場合は、照明器具、パソコン、複写機、印刷機、ファクシミリなどである。また店舗に設置される場合は、照明器具、ショウケースの照明、冷凍機、冷蔵機などである。
【００１１】
次に、実施形態１の動作を図２を用いて説明する。図２は太陽電池からの発電出力によって負荷の電力供給が完全にまかなえるような場合、太陽電池と蓄電池によって、負荷を駆動する方法を説明するものである。図２の横軸は太陽電池１の出力電圧、縦軸は太陽電池の出力電力を示す。また同時に横軸に蓄電池の電圧を示す。
【００１２】
電力変換装置４によって太陽電池１を運転すると、太陽電池の出力は、図２の曲線Ｓに示すように変化する。即ち、太陽の日射量の増加と共に、太陽電池の出力は電圧および出力電力がほぼ直線的に増加する。そして、最大電力点Ｄ２を超えると、太陽電池の出力が急激に低下し、出力ゼロの点Ｅに達する。
このような特性曲線は、太陽電池を最大電力点追従制御運転するのではなく、太陽電池の発電出力が負荷量にバランスするまで電流供給を増加させる電流制御運転を実施することにより、得ることができる。
【００１３】
一方、蓄電池は、その充電状態および負荷の消費電力によって多少電圧が変化するが、蓄電池の電圧変化は通常太陽電池の電圧変化より小さい。本発明では、蓄電池電圧を曇天時の日射量における最大電力点電圧付近に設定することが望ましい。
しかし、蓄電池電圧は、太陽電池の設置地域、太陽電池の発電出力に対応して決定する必要がある。即ち、比較的晴天が多い地域や安定した日射量が得られるような設置場所では最大電力点の移動は少ないので、蓄電池電圧は、晴天時の最大電力点電圧の近傍、例えば３／４〜１程度に設定するのが望ましい。
また季節変動や温度変化、天候変化の大きい地域では最大電力点の移動は大きいので、太陽電池の発電出力を有効に利用するため、蓄電池電圧は最大電力点電圧の１/２〜３/４程度に設定してもよい。または最大電力点の季節変動に対応して変動させてもよい。最も望ましくは、本システムの設置場所の温度、日射強度の年間データをもとに、システムとしての効率が最も上がる蓄電池電圧を計算し、その蓄電池電圧に設定する方法である。
このように、太陽電池の設置地域、天候変化を考慮して電流制御運転曲線Ｓと蓄電池電圧の関係を設定する。
【００１４】
以下には、実施形態１において、太陽電池の開放電圧が３００Ｖ、最大電力点電圧が２５０Ｖであり、蓄電池電圧が２００Ｖである場合を仮定して、図２を参照しながら動作を説明する。なお、蓄電池は系統電力など、何で充電してもかまわない。
最初負荷が無負荷、即ち０Ｗのとき、太陽電池は図２のＥ点で動作しており、太陽電池１および蓄電池２は負荷５に電力を供給しない。次に、負荷５の大きさ、つまり消費電力量が４００Ｗになった場合、本発明の給電システムは、負荷５への電流供給を開始する。このときの本発明の給電システムの動作点は点Ｃ２になる。この動作点Ｃ２では、太陽電池の出力は負荷５の消費電力量にバランスする電流が供給される。即ち、負荷の消費電力は４００Ｗであるので、太陽電池の供給電圧は２８０Ｖとなり、太陽電池１からのみ電力供給する。一方、蓄電池２は出力電圧が２００Ｖであるから電力供給しない。
このように太陽電池の最大電力点Ｄ２の出力が５００Ｗであり、負荷の消費電力が４００Ｗである場合、太陽電池からのみ電力供給され、蓄電池からは電力供給されない。  このような動作状態は、負荷５が太陽電池１の最大電力点の発電電力５００Ｗを越えるまで続けられる。
【００１５】
次に、負荷５が増加して７００Ｗになった場合、太陽電池１はその最大電力点Ｄ２で動作したときの電力でも５００Ｗしかまかないきれないので、電力変換装置４は、負荷５の消費電力量に対応して供給電流を増加させるよう電流制御運転が行われる。ここでは負荷の消費電力量７００Ｗと、蓄電池電圧における太陽電池の動作点C１（４００Ｗ）の差が蓄電池２から持ち出され、点Ａで動作する。
【００１６】
上記のように動作点Ａでの動作後、負荷５が減少して、その消費電力が４５０Ｗになった場合、太陽電池１は、その最大電力点Ｄ２以下の動作点Ｂ３（もしくはＢ２）が存在するが、それにもかかわらず、先に動作点Ｂ３（もしくはＢ２）の延長上である動作点Ｂ１で安定して運転を行なう。
この動作点Ｂ１では、蓄電池２から余分な電力５０Ｗを供給することになる。もし負荷５の消費電力が５００Ｗになった場合は、動作点D１で動作し、蓄電池２は１００Ｗを供給することになる。
また、上記とは逆に、負荷５の大きさは変動しないが、日射量が低下して太陽電池の発電出力の最大電力点Ｄ２が負荷５よりも小さくなった場合は、上記説明と同様に、太陽電池１の最大電力点Ｄ２でも負荷５をまかなうことができないので、電力変換装置４は負荷５の供給電流を増加させようとして、蓄電池２から電力が持ち出される。そして、その後太陽電池１の最大電力点Ｄ２が負荷５の大きさ以上に回復して、太陽電池１の発電出力によってまかなうことができるようになった場合でも負荷５の大きさが動作点C１と、動作点Ｄ１の間に入る場合には、上記説明と同様に、蓄電池の電力が消費される。
【００１７】
そのため、本発明は例えば、1分に1回のように、定期的に太陽電池１から電力変換装置４への電力供給量をゼロにする。これにより、図２に示すように、動作点をＥ点に移動させる。
出力電力をゼロにする間隔は、負荷５の変動速度と、電流制御運転の制御速度によって、決定することができる。例えば、負荷５の変動速度が速い場合は、その変動速度に対応して電流制御運転の制御速度を速くする必要があり、出力電力をゼロにする間隔は、１０秒〜２分程度にするとよい。しかし負荷５の変動速度が遅い場合は、電流制御運転の制御速度も遅くしてもよく、出力電力をゼロにする間隔は、３０秒〜３分秒程度にするとよい。したがって、１分程度が好ましい。
また出力電力ゼロの持続時間は、電力変換装置４を構成するＤＣ／ＤＣコンバータ６に含まれるコンデンサＧの容量により決定され、通常０．００１〜１秒以下のように短時間である。より好ましくは、０．００１〜０．１秒である。しかし、コンデンサＧが大容量の場合は、その動作速度は遅くすることができ、数秒程度の時間を設定してもかまわない。
即ち、負荷５が電熱器具のように電力供給の変化に対して反応が遅い負荷の場合は、コンデンサＧに蓄積された電荷が全部放電されるまでの時間に設定することができる。しかし、パソコンのように電力供給が一瞬でも止まると困る負荷の場合は、コンデンサＧに蓄積された電荷が全部放電する前に回復するように設定する。
【００１８】
実施形態１は、太陽電池１、蓄電池２、電力変換装置４が自立運転している場合であり、連係からの電力供給がないので、上記のように定期的に太陽電池１から電力変換装置４への電力供給量をゼロにすると、負荷の大きさとバランスするまで電力変換装置４から供給電流を増加させるよう電流制御運転する。即ち、負荷のインピーダンスの大きさによって決まる電流に制限する電流制御運転が行なわれる。これによって、最大電力点曲線との交点である点Ｂ３で動作することになる。
【００１９】
なお、本発明の給電システムでは、負荷が大消費電力量である場合、本発明の電力変換装置４は、電流制御運転しているので、蓄電池２は負荷に応じた電流を流し続け、システムの耐電流値を越える恐れがある。そのため、システムの安全運転のために、過電流制御機能を備えることが望ましい。過電流制御機能は、蓄電池２から負荷５までの間のどこに備えていてもかまわないが、例えば、電力変換装置４を構成するＤＣ／ＤＣコンバータ６とＤＣ／ＡＣインバータ７に電流制限抵抗のような過電流制御機能を接続するとよい。
このように電力変換装置４の出力電力を所定の時間間隔で、短時間ゼロにすると、負荷が太陽電池の最大電力点を超え、再度最大電力点以下になったとき、蓄電池２からの余分な電力供給をしてしまう動作点Ｂ１で動作する事象を防ぎ、動作点Ｂ３で動作する、電流制御運転に変えることができる。これにより、蓄電池の電力を消費せずに、太陽電池の発電出力により負荷に電力供給することができる。
【００２０】
また、図３に示すように、ＤＣ／ＤＣコンバータ６はコンデンサＣを内蔵している。そのためＤＣ／ＤＣコンバータ６の出力電力が上記のように短時間ゼロにしてから再度ＤＣ／ＤＣコンバータ６より電力供給を開始するまでの間、コンデンサＧに貯蔵された電荷が負荷５に供給されるので、負荷５への瞬間的な電力供給停止をなくし、継続的な電力供給を可能にする。一般にコンデンサＧは、ＤＣ／ＤＣコンバータ６の電力容量、負荷の消費電力量に対応する容量値を有するものが使用されるので、負荷５への継続的な電力供給が可能である。
【００２１】
ＤＣ／ＤＣコンバータ６の出力電力を短時間ゼロにしたあと、太陽電池、蓄電池の出力合計と負荷量がバランスするまでの時間t（ｓ）は、ＤＣ／ＤＣコンバータ６に内蔵されるコンデンサＧの容量Ｑ（Ｗｈ）、定格負荷量をＸ（Ｗ）とすると、
ｔ≦３６００Ｑ／Ｘ
を満たすことが望ましい。
【００２２】
ＤＣ／ＤＣコンバータ６の回路図を図３に示す。図３に示す回路図は、一般的な昇圧チョッパ回路であり、本発明のＤＣ／ＤＣコンバータ６は、昇圧チョッパ型動作をする全ての回路が使用可能である。なお、前記コンデンサＧは、図３に示すように、出力端に接続したコンデンサＧを指す。
【００２３】
図６は、本実施例のフローチャートを示す。
図６に示すように、本発明の給電システムによって、太陽電池１の発電出力が電力変換装置４により電流制御運転して、負荷５に電力供給されている状態において、動作を開始すると、ステップＳ１で制御部８に備えられたタイマーがカウントを開始する。ステップＳ２で、タイマーが１分を経過しない場合は、ステップＳ３で、ＤＣ／ＤＣコンバータ６は負荷５の大きさに応じて電力供給する。もし、前記ステップＳ２でタイマーが１分を経過すると、ステップＳ４に進み、ＤＣ／ＤＣコンバータ６は出力電力をゼロにする。出力電力をゼロにする時間はステップＳ５で、例えばt秒間カウントされ、t秒経過後、ステップＳ６で、ＤＣ／ＤＣコンバータ６は負荷５に応じた電力を供給する。そして、ステップＳ７で、タイマーカウントをリセットして、最初のステップＳ１に戻る。
【００２４】
図６のフローチャートに示したように、本発明は、負荷５の大きさに応じて、ＤＣ／ＤＣコンバータ６が電流制御運転して電力供給するが、タイマーが１分間をカウントしたとき、t秒間ＤＣ／ＤＣコンバータ６の出力電力がゼロになり、その後負荷５の大きさに応じて電流を制限する電流制御運転を行なう。
なお、実施形態１において、太陽電池１から電力変換装置４への電力供給を所定時間ごとにゼロにするため、ＤＣ／ＤＣコンバータ６の動作を停止させるとよい。
また上記実施形態１では太陽電池１から電力変換装置４への電力供給を所定時間ごとにゼロにしたが、必ずしもゼロにする必要はなく、例えば負荷５の消費電力が増加後、再度負荷５が低下したとき、図２で示す動作点C１以下からゼロのいずれかであればよい。また、点D２の電力に対する点C１の電力は、極端な低日射時を除き、５０％を下回ることはない。よって、太陽電池１から電力変換装置４への電力供給を所定時間ごとに点D２の５０％にするのもよい。そうすることによって、コンデンサの容量を小さくすることが可能になり、システムの大きさを小さくし、コストダウンが可能になる。このようにC１以下からゼロまでのいずれかにするためには、電力変換装置４の内部インピーダンスを調整して達成することができる。
【００２５】
以上の説明は、太陽電池から負荷までが自立型で動作している場合であるが、負荷に商用交流電源から電源供給することができる連係型の場合は、電力変換装置は許される限り蓄電池の電荷を放電するので、連係型の場合に本発明の動作を行なわせようとすると、蓄電池の放電を一定値で止めるようにする必要がある。
以上のように本発明の給電システムは、太陽電池の出力電力量と、蓄電池の出力電圧値を本発明のように設定し、電力変換装置４を電流制御運転することにより実施することができるので、最大電力点追従制御のような複雑な制御が不要であり、また制御部８は太陽電池１から電力変換装置４への電力供給を所定時間ごとにゼロにするだけでよいので、制御部８の構成が簡単である。
【００２６】
（実施形態２）
図４は実施の形態２の構成を示すブロック図である。
図４を参照して、実施形態２を説明する。本システムは、太陽電池１と、ダイオード３を介した蓄電池２が並列に、電力変換装置４の入力に接続されており、電力変換装置４の出力にＤＣ負荷５が接続されている。この実施形態２では、電力変換装置４は、ＤＣ／ＤＣコンバータ９のみで構成されている。
その他の構成は、実施形態１と同じであり、そして図６のフローチャートが実施される。
【００２７】
（実施形態３）
図５は実施形態３の構成を示すブロック図である。
図５を参照して、実施形態３を説明する。本システムは、太陽電池１と蓄電池２の接続点と、電力変換装置４の入力との間にスイッチ１０が接続されている点が特徴である。それ以外は実施形態１と同じである。
この実施形態３の動作を説明すると、実施形態１では、ＤＣ／ＤＣコンバータ６の出力電力を所定時間ごとにゼロまたは低下した負荷の大きさ以下からゼロのいずれかにしていたが、実施形態３では、スイッチ１０を所定時間ごとに、ｔ秒間オフにする。その外は実施形態１と同じである。
【００２８】
（実施形態４）
上記実施形態１〜３は、定期的に太陽電池１から電力変換装置４への電力供給を負荷５の消費電力量以下からゼロのいずれかにするか、または電力変換装置４の入力に接続したスイッチをオフするものであった。この実施形態４は定期的な動作をするものではなく、太陽電池の出力電力量、負荷の消費電力量を監視し、その変動に対応して本発明の動作を実施するものである。
従って、実施形態４では、太陽電池１の出力電力を測定する電圧計または電力計を備え、また負荷５の変動を検出する電流計または電力計を備える。その他は、図１、図４または図５に示した構成と同じである。
実施形態４では、太陽電池１の出力電力が負荷の電力量より大きいか制御部８が監視し、またその動作点が最大電力点曲線上にあるか判断する。この状態が維持されている間は、制御部は制御を変更しない。しかし、負荷５が増加して太陽電池１の最大電力点Ｄ２で動作させても負荷５に十分な電力供給ができない場合、蓄電池２から電力供給する。蓄電池２からの電力供給制御は、制御部８が特別な制御しなくても、太陽電池１の出力電圧と蓄電池２の出力電圧により自然に行なわれる。
【００２９】
次に負荷５が太陽電池１の最大出力電力以下に低下すると、負荷５に備えた電流計または電力計がこれを検出する。この検出出力を制御部８が受けると、太陽電池１から電力変換装置４への電力供給を負荷５の消費電力量以下からゼロのいずれかにするか、またはスイッチをオフにする。負荷をゼロ、もしくはスイッチをオフにした場合、最大電力点曲線のＥ点に動作点が移動する。Ｅ点を所定時間持続した後、制御部８は電力変換装置４の出力を回復させる、またはスイッチをオンにする。これにより負荷のインピーダンスによって電流が制限される電流制御運転を行なわせ、最大電力点曲線上で動作させることができる。
【図面の簡単な説明】
【００３０】
【図１】実施形態１の構成を示すブロック図である。
【図２】本発明の動作を説明する図である。
【図３】ＤＣ／ＤＣコンバータの回路図である。
【図４】実施形態２の構成を示すブロック図である。
【図５】実施形態３の構成を示すブロック図である。
【図６】本発明のフローチャートである。
【符号の説明】
【００３１】
１  太陽電池
２  蓄電池
４  電力変換装置
５  負荷
８  制御部
１０  商用電力系統
【図１】
2008061308.tif 000003
【図２】
2008061308.tif 000004
【図３】
2008061308.tif 000005
【図４】
2008061308.tif 000006
【図５】
2008061308.tif 000007
【図６】
2008061308.tif 000008